(57)【要約】  セルラ通信システムは、ＷＬＡＮ制御情報に基づいて、自トラフィックを収容するアクセスネットワークをＥ−ＵＴＲＡＮからＷＬＡＮに切り替えるためのＷＬＡＮ関連処理を行うＵＥと、ＵＥが在圏するセルを管理するｅＮＢと、を備える。ＵＥは、自ＵＥに関連する少なくとも１つのパラメータに基づいて、ＷＬＡＮ関連処理の実行可否を示すＷＬＡＮ  Ｉｎｔｅｒｗｏｒｋｉｎｇ  ＩｎｄｉｃａｔｉｏｎをｅＮＢに送信する。ＷＬＡＮ  Ｉｎｔｅｒｗｏｒｋｉｎｇ  Ｉｎｄｉｃａｔｉｏｎを受信したｅＮＢは、当該受信したＷＬＡＮ  Ｉｎｔｅｒｗｏｒｋｉｎｇ  Ｉｎｄｉｃａｔｉｏｎに基づいて、ＵＥに対してＷＬＡＮ制御情報を提供するか否かを判断する。
2014112563.tif 000002
【特許請求の範囲】
【請求項１】
セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行うユーザ端末と、
前記セルラＲＡＮにおいて、前記ユーザ端末が在圏するセルを管理するセルラ基地局と、を備え、
前記ユーザ端末は、自ユーザ端末に関連する少なくとも１つのパラメータに基づいて、前記無線ＬＡＮ関連処理の実行可否を示す通知を前記セルラ基地局に送信し、
前記通知を受信した前記セルラ基地局は、当該受信した通知に基づいて、前記ユーザ端末に対して前記無線ＬＡＮ制御情報を提供するか否かを判断することを特徴とするセルラ通信システム。
【請求項２】
前記パラメータは、前記ユーザ端末の無線ＬＡＮ通信部のオン／オフを含み、
前記ユーザ端末は、前記無線ＬＡＮ通信部がオフからオンに切り替わったことに応じて、前記無線ＬＡＮ関連処理の実行可能を示す前記通知を送信し、
前記ユーザ端末は、前記無線ＬＡＮ通信部がオンからオフに切り替わったことに応じて、前記無線ＬＡＮ関連処理の実行不可を示す前記通知を送信することを特徴とする請求項１に記載のセルラ通信システム。
【請求項３】
前記パラメータは、所定の無線ＬＡＮアクセスポイントに対する接続状態を含み、
前記ユーザ端末は、前記所定の無線ＬＡＮアクセスポイントとの接続を前記ユーザ端末が切断したことに応じて、前記無線ＬＡＮ関連処理の実行可能を示す前記通知を送信し、
前記ユーザ端末は、前記所定の無線ＬＡＮアクセスポイントに対して前記ユーザ端末が接続したことに応じて、前記無線ＬＡＮ関連処理の実行不可を示す前記通知を送信することを特徴とする請求項１に記載のセルラ通信システム。
【請求項４】
前記パラメータは、無線ＬＡＮアクセスポイントが送信するビーコン信号の検知状態を含み、
前記ユーザ端末は、前記ビーコン信号を検知していない状態から検知した状態に切り替わったことに応じて、前記無線ＬＡＮ関連処理の実行可能を示す前記通知を送信し、
前記ユーザ端末は、前記ビーコン信号を検知した状態から検知していない状態に切り替わったことに応じて、前記無線ＬＡＮ関連処理の実行不可を示す前記通知を送信することを特徴とする請求項１に記載のセルラ通信システム。
【請求項５】
前記パラメータは、前記ユーザ端末の地理的位置を含み、
前記ユーザ端末は、自ユーザ端末の地理的位置が前記無線ＬＡＮアクセスポイントの通信エリアに接近したことに応じて、前記無線ＬＡＮ関連処理の実行可能を示す前記通知を送信し、
前記ユーザ端末は、前記ユーザ端末の地理的位置が前記無線ＬＡＮアクセスポイントの通信エリアから離れたことに応じて、前記無線ＬＡＮ関連処理の実行不可を示す前記通知を送信することを特徴とする請求項１に記載のセルラ通信システム。
【請求項６】
前記ユーザ端末は、前記セルラＲＡＮとの通信を行っているか否か、当該通信に使用するアプリケーションの種別、のうち少なくとも１つに基づいて、自ユーザ端末の地理的位置を測定するか否かを制御することを特徴とする請求項５に記載のセルラ通信システム。
【請求項７】
前記パラメータは、前記ユーザ端末の移動速度を含み、
前記ユーザ端末は、前記ユーザ端末の移動速度が閾値を下回ったことに応じて、前記無線ＬＡＮ関連処理の実行可能を示す前記通知を送信し、
前記ユーザ端末は、前記ユーザ端末の移動速度が閾値を上回ったことに応じて、前記無線ＬＡＮ関連処理の実行不可を示す前記通知を送信することを特徴とする請求項１に記載のセルラ通信システム。
【請求項８】
前記パラメータは、前記ユーザ端末のバッテリ残量を含み、
前記ユーザ端末は、前記ユーザ端末のバッテリ残量が閾値を上回ったことに応じて、前記無線ＬＡＮ関連処理の実行可能を示す前記通知を送信し、
前記ユーザ端末は、前記ユーザ端末のバッテリ残量が閾値を下回ったことに応じて、前記無線ＬＡＮ関連処理の実行不可を示す前記通知を送信することを特徴とする請求項１に記載のセルラ通信システム。
【請求項９】
前記無線ＬＡＮ制御情報は、ネットワーク選択規則、前記ネットワーク選択規則に適用されるネットワーク選択パラメータ、無線ＬＡＮ測定制御情報、無線ＬＡＮへのトラフィック切替え指示、のうち少なくとも１つであることを特徴とする請求項１に記載のセルラ通信システム。
【請求項１０】
前記通知は、前記ユーザ端末が接続可能な無線ＬＡＮアクセスポイントの識別子、当該無線ＬＡＮアクセスポイントについての測定結果、当該無線ＬＡＮアクセスポイントの負荷情報、前記ユーザ端末が提供を望む無線ＬＡＮ制御情報を示す情報、のうち少なくとも１つを含むことを特徴とする請求項１に記載のセルラ通信システム。
【請求項１１】
前記無線ＬＡＮ関連処理の実行可能を示す前記通知を受信した前記セルラ基地局は、当該受信した通知に基づいて、前記ユーザ端末に対して前記無線ＬＡＮ制御情報を提供することを特徴とする請求項１に記載のセルラ通信システム。
【請求項１２】
前記セルラ基地局は、前記通知の送信を有効にするか無効にするかを示す設定情報を前記ユーザ端末に送信し、
前記ユーザ端末は、前記通知の送信を有効にすることを示す前記設定情報を受信した場合に、前記通知の送信を有効にし、
前記ユーザ端末は、前記通知の送信を無効にすることを示す前記設定情報を受信した場合に、前記通知の送信を無効にすることを特徴とする請求項１に記載のセルラ通信システム。
【請求項１３】
セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行うユーザ端末であって、
自ユーザ端末に関連する少なくとも１つのパラメータに基づいて、前記セルラＲＡＮに含まれるセルラ基地局に対して、前記無線ＬＡＮ関連処理の実行可否を示す通知を送信する送信部を備えることを特徴とするユーザ端末。
【請求項１４】
セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行うユーザ端末を備えるセルラ通信システムにおいて、前記ユーザ端末が在圏するセルを管理するセルラ基地局であって、
前記無線ＬＡＮ関連処理の実行可否を示す通知を前記ユーザ端末から受信する受信部と、
当該受信した通知に基づいて、前記ユーザ端末に対して前記無線ＬＡＮ制御情報を提供するか否かを判断する制御部と、を備えることを特徴とするセルラ基地局。
【発明の詳細な説明】
【技術分野】
【０００１】
本発明は、無線ＬＡＮシステムと連携可能なセルラ通信システム、ユーザ端末、及びセルラ基地局に関する。
【背景技術】
【０００２】
近年、セルラ通信及び無線ＬＡＮ（Ｌｏｃａｌ  Ａｒｅａ  Ｎｅｔｗｏｒｋ）通信の両機能を有するユーザ端末（いわゆる、デュアル端末）の普及が進んでいる。また、セルラ通信システムのオペレータにより管理される無線ＬＡＮアクセスポイントが増加している。【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラＲＡＮ（Ｒａｄｉｏ  Ａｃｃｅｓｓ  Ｎｅｔｗｏｒｋ）及び無線ＬＡＮの連携を強化できる技術が検討されている。【０００４】
例えば、セルラＲＡＮが収容しているユーザ端末のトラフィックを、無線ＬＡＮが収容するよう切り替えることにより、セルラＲＡＮのトラフィック負荷を削減することができる（オフロード）。【０００５】
また、セルラＲＡＮ及び無線ＬＡＮの中からユーザ端末のトラフィックを収容するアクセスネットワークを選択するためのネットワーク選択方式として、複数のネットワーク選択方式が提案されている（非特許文献１参照）。
【先行技術文献】
【非特許文献】
【０００６】
【非特許文献１】３ＧＰＰ技術報告書  「ＴＲ  ３７．８３４  Ｖ１．０．０」  ２０１３年８月
【発明の概要】
【０００７】
上述したネットワーク選択方式の中には、ユーザ端末が、セルラＲＡＮから提供される無線ＬＡＮ制御情報に基づいて、自トラフィックを収容するアクセスネットワークを無線ＬＡＮに切り替えるための無線ＬＡＮ関連処理を行う方式がある。
【０００８】
このような方式において、ユーザ端末に関連する各パラメータを考慮せずに当該ユーザ端末に対して無線ＬＡＮ制御情報を提供する場合、無線ＬＡＮ関連処理を実行できないユーザ端末、すなわち、不適切なユーザ端末に対して無線ＬＡＮ制御情報を提供してしまう虞がある。
【０００９】
一方で、ユーザ端末に関連する各パラメータを逐一セルラＲＡＮに通知する方法も考えられるが、各パラメータの通知に伴って無線リソースの消費量が増大する問題がある。
【００１０】
そこで、本発明は、無線リソースの消費量を抑制しつつ、無線ＬＡＮ制御情報を適切に提供可能とすることを目的とする。
【００１１】
第１の特徴に係るセルラ通信システムは、セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行うユーザ端末と、前記セルラＲＡＮにおいて、前記ユーザ端末が在圏するセルを管理するセルラ基地局と、を備える。前記ユーザ端末は、自ユーザ端末に関連する少なくとも１つのパラメータに基づいて、前記無線ＬＡＮ関連処理の実行可否を示す通知を前記セルラ基地局に送信する。前記通知を受信した前記セルラ基地局は、当該受信した通知に基づいて、前記ユーザ端末に対して前記無線ＬＡＮ制御情報を提供するか否かを判断する。
【００１２】
第２の特徴に係るユーザ端末は、セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行う。前記ユーザ端末は、自ユーザ端末に関連する少なくとも１つのパラメータに基づいて、前記セルラＲＡＮに含まれるセルラ基地局に対して、前記無線ＬＡＮ関連処理の実行可否を示す通知を送信する送信部を備える。
【００１３】
第３の特徴に係るセルラ基地局は、セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行うユーザ端末を備えるセルラ通信システムにおいて、前記ユーザ端末が在圏するセルを管理する。前記セルラ基地局は、前記無線ＬＡＮ関連処理の実行可否を示す通知を前記ユーザ端末から受信する受信部と、当該受信した通知に基づいて、前記ユーザ端末に対して前記無線ＬＡＮ制御情報を提供するか否かを判断する制御部と、を備える。
【図面の簡単な説明】
【００１４】
【図１】実施形態に係るシステム構成図である。
【図２】実施形態に係るＵＥのブロック図である。
【図３】実施形態に係るｅＮＢのブロック図である。
【図４】ＬＴＥシステムにおける無線インターフェイスのプロトコルスタック図である。
【図５】実施形態に係る動作環境を説明するための図である。
【図６】ネットワーク選択方式の第３の例を示すシーケンス図である。
【図７】実施形態に係るシーケンス図である。
【発明を実施するための形態】
【００１５】
［実施形態の概要］
実施形態に係るセルラ通信システムは、セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行うユーザ端末と、前記セルラＲＡＮにおいて、前記ユーザ端末が在圏するセルを管理するセルラ基地局と、を備える。前記ユーザ端末は、自ユーザ端末に関連する少なくとも１つのパラメータに基づいて、前記無線ＬＡＮ関連処理の実行可否を示す通知を前記セルラ基地局に送信する。前記通知を受信した前記セルラ基地局は、当該受信した通知に基づいて、前記ユーザ端末に対して前記無線ＬＡＮ制御情報を提供するか否かを判断する。
【００１６】
実施形態に係る動作パターン１では、前記パラメータは、前記ユーザ端末の無線ＬＡＮ通信部のオン／オフを含む。前記ユーザ端末は、前記無線ＬＡＮ通信部がオフからオンに切り替わったことに応じて、前記無線ＬＡＮ関連処理の実行可能を示す前記通知を送信する。前記ユーザ端末は、前記無線ＬＡＮ通信部がオンからオフに切り替わったことに応じて、前記無線ＬＡＮ関連処理の実行不可を示す前記通知を送信する。
【００１７】
実施形態に係る動作パターン２では、前記パラメータは、所定の無線ＬＡＮアクセスポイントに対する接続状態を含む。前記ユーザ端末は、前記所定の無線ＬＡＮアクセスポイントとの接続を前記ユーザ端末が切断したことに応じて、前記無線ＬＡＮ関連処理の実行可能を示す前記通知を送信する。前記ユーザ端末は、前記所定の無線ＬＡＮアクセスポイントに対して前記ユーザ端末が接続したことに応じて、前記無線ＬＡＮ関連処理の実行不可を示す前記通知を送信する。
【００１８】
実施形態に係る動作パターン３では、前記パラメータは、無線ＬＡＮアクセスポイントが送信するビーコン信号の検知状態を含む。前記ユーザ端末は、前記ビーコン信号を検知していない状態から検知した状態に切り替わったことに応じて、前記無線ＬＡＮ関連処理の実行可能を示す前記通知を送信する。前記ユーザ端末は、前記ビーコン信号を検知した状態から検知していない状態に切り替わったことに応じて、前記無線ＬＡＮ関連処理の実行不可を示す前記通知を送信する。
【００１９】
実施形態に係る動作パターン４では、前記パラメータは、前記ユーザ端末の地理的位置を含む。前記ユーザ端末は、自ユーザ端末の地理的位置が前記無線ＬＡＮアクセスポイントの通信エリアに接近したことに応じて、前記無線ＬＡＮ関連処理の実行可能を示す前記通知を送信する。前記ユーザ端末は、自ユーザ端末の地理的位置が前記無線ＬＡＮアクセスポイントの通信エリアから離れたことに応じて、前記無線ＬＡＮ関連処理の実行不可を示す前記通知を送信する。
【００２０】
実施形態に係る動作パターン４では、前記ユーザ端末は、前記セルラＲＡＮとの通信を行っているか否か、当該通信に使用するアプリケーションの種別、のうち少なくとも１つに基づいて、自ユーザ端末の地理的位置を測定するか否かを制御する。
【００２１】
実施形態に係る動作パターン５では、前記パラメータは、前記ユーザ端末の移動速度を含む。前記ユーザ端末は、前記ユーザ端末の移動速度が閾値を下回ったことに応じて、前記無線ＬＡＮ関連処理の実行可能を示す前記通知を送信する。前記ユーザ端末は、前記ユーザ端末の移動速度が閾値を上回ったことに応じて、前記無線ＬＡＮ関連処理の実行不可を示す前記通知を送信する。
【００２２】
実施形態に係る動作パターン６では、前記パラメータは、前記ユーザ端末のバッテリ残量を含む。前記ユーザ端末は、前記ユーザ端末のバッテリ残量が閾値を上回ったことに応じて、前記無線ＬＡＮ関連処理の実行可能を示す前記通知を送信する。前記ユーザ端末は、前記ユーザ端末のバッテリ残量が閾値を下回ったことに応じて、前記無線ＬＡＮ関連処理の実行不可を示す前記通知を送信する。
【００２３】
実施形態では、前記無線ＬＡＮ制御情報は、ネットワーク選択規則、前記ネットワーク選択規則に適用されるネットワーク選択パラメータ、無線ＬＡＮ測定制御情報、無線ＬＡＮへのトラフィック切替え指示、のうち少なくとも１つである。
【００２４】
実施形態では、前記通知は、前記ユーザ端末が接続可能な無線ＬＡＮアクセスポイントの識別子、当該無線ＬＡＮアクセスポイントについての測定結果、当該無線ＬＡＮアクセスポイントの負荷情報、前記ユーザ端末が提供を望む無線ＬＡＮ制御情報を示す情報、のうち少なくとも１つを含む。
【００２５】
実施形態では、前記無線ＬＡＮ関連処理の実行可能を示す前記通知を受信した前記セルラ基地局は、当該受信した通知に基づいて、前記ユーザ端末に対して前記無線ＬＡＮ制御情報を提供する。
【００２６】
実施形態では、前記セルラ基地局は、前記通知の送信を有効にするか無効にするかを示す設定情報を前記ユーザ端末に送信する。前記ユーザ端末は、前記通知の送信を有効にすることを示す前記設定情報を受信した場合に、前記通知の送信を有効にする。前記ユーザ端末は、前記通知の送信を無効にすることを示す前記設定情報を受信した場合に、前記通知の送信を無効にする。
【００２７】
実施形態に係るユーザ端末は、セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行う。前記ユーザ端末は、自ユーザ端末に関連する少なくとも１つのパラメータに基づいて、前記セルラＲＡＮに含まれるセルラ基地局に対して、前記無線ＬＡＮ関連処理の実行可否を示す通知を送信する送信部を備える。
【００２８】
実施形態に係るセルラ基地局は、セルラＲＡＮから提供される無線ＬＡＮ制御情報に基づいて、自トラフィックを収容するアクセスネットワークを前記セルラＲＡＮから無線ＬＡＮに切り替えるための無線ＬＡＮ関連処理を行うユーザ端末を備えるセルラ通信システムにおいて、前記ユーザ端末が在圏するセルを管理する。前記セルラ基地局は、前記無線ＬＡＮ関連処理の実行可否を示す通知を前記ユーザ端末から受信する受信部と、当該受信した通知に基づいて、前記ユーザ端末に対して前記無線ＬＡＮ制御情報を提供するか否かを判断する制御部と、を備える。
【００２９】
［実施形態］
以下、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。
【００３０】
（システム構成）
図１は、実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００３１】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、セルラ通信システムのネットワークを構成する。
【００３２】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００３３】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００３４】
ｅＮＢ２００は、Ｘ２インターフェイスを介して相互に接続される。また、ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００３５】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３６】
ＷＬＡＮ３０は、ＷＬＡＮアクセスポイント（以下、単に「ＡＰ」という）３００を含む。ＡＰ３００は、例えばセルラ通信システムのオペレータにより管理されるＡＰ（Ｏｐｅｒａｔｏｒ  ｃｏｎｔｒｏｌｌｅｄ  ＡＰ）である。
【００３７】
ＷＬＡＮ３０は、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータ等を介してＥＰＣ２０に接続される。
【００３８】
また、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００３９】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバ６００をさらに含んでもよい。ＡＮＤＳＦサーバ６００は、ＷＬＡＮ３０に関するＡＮＤＳＦ情報を管理する。ＡＮＤＳＦサーバ６００は、ＮＡＳ（Ｎｏｎ  Ａｃｃｅｓｓ  Ｓｔｒａｔｕｍ）メッセージにより、ＷＬＡＮ３０に関するＡＮＤＳＦ情報をＵＥ１００に提供する。
【００４０】
次に、ＵＥ１００及びｅＮＢ２００の構成を説明する。
【００４１】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４２】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００４３】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００４４】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４５】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号等を行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４６】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。
【００４７】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００４８】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００４９】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。また、メモリ２３０をプロセッサ２４０と一体化し、このセット（すなわち、チップセット）をプロセッサ２４０’としてもよい。プロセッサ２４０は、後述する各種の処理及び各種の通信プロトコルを実行する。
【００５０】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００５２】
ＭＡＣ層は、データの優先制御、ハイブリッドＡＲＱ（ＨＡＲＱ）による再送処理等を行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００５３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５４】
ＰＤＣＰ層は、ヘッダ圧縮・伸張、及び暗号化・復号化を行う。
【００５５】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣ接続状態であり、そうでない場合、ＵＥ１００はＲＲＣアイドル状態である。
【００５６】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。ＭＭＥ３００及びＡＮＤＳＦサーバ６００は、ＮＡＳメッセージをＵＥ１００と送受信する。
【００５７】
（アクセスネットワーク選択）
図５は、実施形態に係る動作環境を説明するための図である。図５に示すように、ｅＮＢ２００のセルに複数のＡＰ３００が設けられている。また、ｅＮＢ２００のセルに複数のＵＥ１００が在圏している。ＵＥ１００は、ｅＮＢ２００との接続を確立しており、ｅＮＢ２００とのセルラ通信を行っていてもよい。その場合、ＵＥ１００は、トラフィック（ユーザデータ）を含んだセルラ無線信号をｅＮＢ２００と送受信する。
【００５８】
このような動作環境において、ｅＮＢ２００（Ｅ−ＵＴＲＡＮ１０）が収容しているＵＥ１００のトラフィックを、ＡＰ３００（ＷＬＡＮ３０）が収容するよう切り替えるトラフィック・ステアリングにより、ｅＮＢ２００のトラフィック負荷を削減することができる（オフロード）。トラフィック・ステアリングには、ＵＥ１００の接続先をｅＮＢ２００とＡＰ３００との間で切り替える場合と、ＵＥ１００がｅＮＢ２００及びＡＰ３００の両方に接続しつつ少なくとも一部のデータパスをｅＮＢ２００とＡＰ３００との間で切り替える場合と、がある。
【００５９】
実施形態では、Ｅ−ＵＴＲＡＮ１０及びＷＬＡＮ３０の中からＵＥ１００のトラフィックを収容するアクセスネットワーク（収容ネットワーク）を選択するためにＥ−ＵＴＲＡＮ１０が関与するネットワーク選択方式を想定する。
【００６０】
ネットワーク選択方式の第１の例は、収容ネットワークの選択規則（以下、「ネットワーク選択規則」という）をＡＮＤＳＦサーバ６００からのみ提供し、かつ収容ネットワークの決定権をＵＥ１００が持つ方式である。Ｅ−ＵＴＲＡＮ１０は、ＵＥ１００に対して補助情報（ネットワーク選択パラメータ）を提供する。ネットワーク選択規則とネットワーク選択パラメータとの関係を例示すると、「セルラ測定値＜Ａ  ＆  ＷＬＡＮ測定値＞Ｂ」でＥ−ＵＴＲＡＮ１０からＷＬＡＮ３０に対してトラフィック・ステアリングを行うという規則がネットワーク選択規則に相当し、「Ａ」及び「Ｂ」がネットワーク選択パラメータに相当する。
【００６１】
ネットワーク選択方式の第２の例は、ネットワーク選択パラメータをＥ−ＵＴＲＡＮ１０から提供可能であり、かつネットワーク選択規則に従って収容ネットワークの決定権をＵＥ１００が持つ方式である。なお、ネットワーク選択規則をＡＮＤＳＦサーバ６００からも提供可能である。
【００６２】
ネットワーク選択方式の第３の例は、収容ネットワークの決定権をＥ−ＵＴＲＡＮ１０が持つ方式である。第３の例では、ＬＴＥシステムのハンドオーバ手順と同様な手順でＥ−ＵＴＲＡＮ１０が収容ネットワークを決定する。
【００６３】
図６は、ネットワーク選択方式の第３の例を示すシーケンス図である。本シーケンスの初期状態において、ＵＥ１００は、ｅＮＢ２００とのＲＲＣ接続を確立した状態（接続状態）である。
【００６４】
図６に示すように、ステップＳ１において、ｅＮＢ２００は、オフロード対象のＵＥ１００に対して、ＷＬＡＮ測定を制御するためのＷＬＡＮ測定指示を送信する。ＷＬＡＮ測定指示は、ＵＥ１００が測定の対象とするＡＰ３００の識別子（ＷＬＡＮ識別子）を含む。また、ＷＬＡＮ測定指示は、ＷＬＡＮ測定の結果を報告するためのＷＬＡＮ測定報告をｅＮＢ２００に送信するトリガを示すトリガ情報を含む。
【００６５】
ＷＬＡＮ測定指示を受信したＵＥ１００は、ＷＬＡＮ測定指示に従ってＷＬＡＮ測定を行なう。例えば、ＵＥ１００は、ＷＬＡＮ測定指示に含まれるＷＬＡＮ識別子を対象として、ＡＰ３００からのビーコン信号の受信電力等を測定する。
【００６６】
ステップＳ２において、ＵＥ１００は、ＷＬＡＮ測定指示に含まれるトリガ情報に基づいて、ＷＬＡＮ測定報告の送信トリガとするイベントを検知する。ここで、ＵＥ１００がアイドル状態に遷移していれば、ＵＥ１００は、ＷＬＡＮ測定報告をｅＮＢ２００に送信するために、ｅＮＢ２００とのＲＲＣ接続を改めて確立する（ステップＳ３）。
【００６７】
ステップＳ４において、ＵＥ１００は、ＷＬＡＮ測定の結果を報告するためのＷＬＡＮ測定報告をｅＮＢ２００に送信する。ＷＬＡＮ測定報告は、例えばＷＬＡＮ識別子及びＷＬＡＮ測定結果（ビーコン信号の受信電力等）を含む。
【００６８】
ステップＳ５において、ＷＬＡＮ測定報告を受信したｅＮＢ２００は、ＷＬＡＮ測定報告及びＲＡＮの等に基づいて、オフロードの実行を指示するＳｔｅｅｒｉｎｇ  ｃｏｍｍａｎｄ（オフロード指示）をＵＥ１００に送信する。なお、Ｓｔｅｅｒｉｎｇ  ｃｏｍｍａｎｄは、ｅＮＢ２００からＷＬＡＮへのトラフィック移行（オフロード）を指示するｃｏｍｍａｎｄに限らず、ＷＬＡＮからｅＮＢ２００へのトラフィック移行（オフロード中止）を指示するｃｏｍｍａｎｄであってもよい。
【００６９】
ステップＳ６において、オフロード指示を受信したＵＥ１００は、オフロードを実行する。すなわち、ＵＥ１００は、ｅＮＢ２００と送受信しているトラフィックを、ＡＰ３００と送受信するよう切り替える。なお、ＵＥ１００は、オフロード指示を受信した際にＡＰ３００との接続を確立していなければ、オフロードに先立ちＡＰ３００との接続を確立する。
【００７０】
ステップＳ７において、ＵＥ１００は、オフロード指示に対応する応答をｅＮＢ２００に送信する。
【００７１】
このように、ＵＥ１００は、Ｅ−ＵＴＲＡＮ１０から提供されるＷＬＡＮ制御情報に基づいて、収容ネットワークをＷＬＡＮ３００に切り替えるためのＷＬＡＮ関連処理を行う。
【００７２】
ネットワーク選択方式の第１の例では、Ｅ−ＵＴＲＡＮ１０から提供されるＷＬＡＮ制御情報は、ネットワーク選択パラメータである。ネットワーク選択方式の第２の例では、Ｅ−ＵＴＲＡＮ１０から提供されるＷＬＡＮ制御情報は、ネットワーク選択規則である。また、ネットワーク選択方式の第１の例及び第２の例では、ＷＬＡＮ関連処理は、ネットワーク選択規則及びネットワーク選択パラメータに基づいてネットワーク選択を行う処理である。
【００７３】
ネットワーク選択方式の第３の例では、ＷＬＡＮ制御情報は、ＷＬＡＮ測定制御情報（ＷＬＡＮ測定指示）及びＷＬＡＮへのトラフィック切替え指示（Ｓｔｅｅｒｉｎｇ  ｃｏｍｍａｎｄ）である。また、ＷＬＡＮ関連処理は、ＷＬＡＮ測定を行う処理及びオフロードを実行する処理である。
【００７４】
（実施形態に係る動作）
以下において、実施形態に係る動作について説明する。
【００７５】
（１）動作概要
上述したように、ＵＥ１００は、Ｅ−ＵＴＲＡＮ１０から提供されるＷＬＡＮ制御情報に基づいて、収容ネットワークをＷＬＡＮ３００に切り替えるためのＷＬＡＮ関連処理を行う。しかしながら、ＵＥ１００の状況（すなわち、ＵＥ１００に関連する各パラメータ）を考慮せずに当該ＵＥ１００に対してＷＬＡＮ制御情報を提供する場合、不適切なＵＥ１００に対してＷＬＡＮ制御情報を提供してしまう虞がある。不適切なＵＥ１００とは、例えば、ＷＬＡＮ通信機能（ＷＬＡＮ通信部１１２）をオフにしているＵＥ１００、又はＡＰ３００が周囲に存在しないＵＥ１００等である。一方で、ＵＥ１００の状況を逐一Ｅ−ＵＴＲＡＮ１０に通知する方法も考えられるが、当該通知に伴って無線リソースの消費量が増大する。
【００７６】
そこで、実施形態では、ＵＥ１００は、自ＵＥに関連する少なくとも１つのパラメータ（以下、「ＵＥ関連パラメータ」という）に基づいて、ＷＬＡＮ関連処理の実行可否を示す通知（以下、「ＷＬＡＮ  Ｉｎｔｅｒｗｏｒｋｉｎｇ  Ｉｎｄｉｃａｔｉｏｎ」という）をｅＮＢ２００に送信する。ＵＥ関連パラメータの詳細については後述する。
【００７７】
ＷＬＡＮ  Ｉｎｔｅｒｗｏｒｋｉｎｇ  Ｉｎｄｉｃａｔｉｏｎを受信したｅＮＢ２００は、当該受信したＷＬＡＮ  Ｉｎｔｅｒｗｏｒｋｉｎｇ  Ｉｎｄｉｃａｔｉｏｎに基づいて、ＵＥ１００に対してＷＬＡＮ制御情報を提供するか否かを判断する。例えば、ｅＮＢ２００は、ＷＬＡＮ関連処理の実行可能を示すＷＬＡＮ  Ｉｎｔｅｒｗｏｒｋｉｎｇ  ＩｎｄｉｃａｔｉｏｎをＵＥ１００から受信した場合にのみ、当該ＵＥ１００に対してＷＬＡＮ制御情報を提供する。
【００７８】
このように、ＵＥ１００が自らの状況に基づいてＷＬＡＮ関連処理の実行可否をｅＮＢ２００に示すことにより、ＵＥ１００の状況を逐一Ｅ−ＵＴＲＡＮ１０に通知する方法に比べて無線リソースの消費量を抑制できるとともに、不適切なＵＥ１００に対してＷＬＡＮ制御情報が提供されることを防止できる。
【００７９】
（２）動作シーケンス
図７は、実施形態に係るシーケンス図である。図７において、ＵＥ１００は、ｅＮＢ２００のセルに在圏していると仮定している。なお、図７において、破線で示すシグナリングは、必須のシグナリングではないことを意味する。
【００８０】
図７に示すように、ステップＳ１１において、ｅＮＢ２００は、ＷＬＡＮ  Ｉｎｔｅｒｗｏｒｋｉｎｇ  Ｉｎｄｉｃａｔｉｏｎの送信を有効（Ｅｎａｂｌｅ）にするか無効（Ｄｉｓａｂｌｅ）にするかを示す設定情報（以下、「Ｒｅｐｏｒｔ  Ｃｏｎｆｉｇ」という）をＵＥ１００に送信する。ｅＮＢ２００は、Ｒｅｐｏｒｔ  Ｃｏｎｆｉｇを自セル内にブロードキャストで送信する。或いは、ｅＮＢ２００は、ＷＬＡＮ通信機能の有無を示す情報をＵＥ１００から受信し、ＷＬＡＮ通信機能を有するＵＥ１００に対してＲｅｐｏｒｔ  Ｃｏｎｆｉｇをユニキャストで送信してもよい。ＵＥ１００は、Ｒｅｐｏｒｔ  Ｃｏｎｆｉｇ（Ｅｎａｂｌｅ）を受信した場合に、ＷＬＡＮ  Ｉｎｔｅｒｗｏｒｋｉｎｇ  Ｉｎｄｉｃａｔｉｏｎの送信を有効にする。これに対し、Ｒｅｐｏｒｔ  Ｃｏｎｆｉｇ（Ｄｉｓａｂｌｅ）を受信した場合には、ＷＬＡＮ  Ｉｎｔｅｒｗｏｒｋｉｎｇ  Ｉｎｄｉｃａｔｉｏｎの送信を無効にする。ここでは、Ｒｅｐｏｒｔ  Ｃｏｎｆｉｇ（Ｅｎａｂｌｅ）を受信したと仮定して説明を進める。
【００８１】
ステップＳ１２において、ＵＥ１００は、ＵＥ関連パラメータに基づいて、ＷＬＡＮ関連処理の実行可否を判断する。かかる判断については、ＵＥ関連パラメータの種別に応じて判断手法が異なる。ステップＳ１２の詳細については後述する。
【００８２】
ステップＳ１３において、ＵＥ１００は、ＷＬＡＮ関連処理が実行可（ＯＫ）であるか実行不可（ＮＧ）であるかを示すＷＬＡＮ  Ｉｎｔｅｒｗｏｒｋｉｎｇ  ＩｎｄｉｃａｔｉｏｎをｅＮＢ２００に送信する。ＷＬＡＮ  Ｉｎｔｅｒｗｏｒｋｉｎｇ  Ｉｎｄｉｃａｔｉｏｎは、実行可（ＯＫ）／実行不可（ＮＧ）の何れかを示すＴｙｐｅフィールドに加えて、ＵＥ１００が接続可能なＡＰ３００の識別子（例えば、ＳＳＩＤ：Ｓｅｒｖｉｃｅ  Ｓｅｔ  Ｉｄｅｎｔｉｆｉｅｒ）、当該ＡＰ３００についての測定結果（例えば、ＲＳＳＩ：Ｒｅｃｅｉｖｅｄ  Ｓｉｇｎａｌ  Ｓｔｒｅｎｇｔｈ  Ｉｎｄｉｃａｔｏｒ）、当該ＡＰ３００の負荷情報、ＵＥ１００が提供を望むＷＬＡＮ制御情報を示す情報、のうち少なくとも１つのフィールドを含んでもよい。各フィールドは、リスト形式であってもよい。なお、ＵＥ１００が接続可能なＡＰ３００とは、ＵＥ１００が接続権限を有するＡＰ３００である。ＵＥ１００が提供を望むＷＬＡＮ制御情報を示す情報とは、ＵＥ１００が提供を望むＷＬＡＮ制御情報の項目名、又は当該項目名のインデックスである。例えば、ＡＮＤＳＦ情報の不足分に相当する項目名（又はインデックス）を設定できる。
【００８３】
ステップＳ１４において、ＷＬＡＮ  Ｉｎｔｅｒｗｏｒｋｉｎｇ  Ｉｎｄｉｃａｔｉｏｎを受信したｅＮＢ２００は、当該受信したＷＬＡＮ  Ｉｎｔｅｒｗｏｒｋｉｎｇ  Ｉｎｄｉｃａｔｉｏｎに基づいて、ＵＥ１００に対してＷＬＡＮ制御情報を提供するか否かを判断する。例えば、ｅＮＢ２００は、ＷＬＡＮ関連処理の実行可能（ＯＫ）を示すＷＬＡＮ  Ｉｎｔｅｒｗｏｒｋｉｎｇ  ＩｎｄｉｃａｔｉｏｎをＵＥ１００から受信した場合にのみ、当該ＵＥ１００に対してＷＬＡＮ制御情報を提供すると判断する。ここでは、ＵＥ１００に対してＷＬＡＮ制御情報を提供すると判断したと仮定して、説明を進める。
【００８４】
ステップＳ１５において、ｅＮＢ２００は、ＵＥ１００に対してＷＬＡＮ制御情報を送信する。ここで、ＵＥ１００が提供を望むＷＬＡＮ制御情報を示す情報がＷＬＡＮ  Ｉｎｔｅｒｗｏｒｋｉｎｇ  Ｉｎｄｉｃａｔｉｏｎに含まれていた場合、ｅＮＢ２００は、ＵＥ１００が提供を望むＷＬＡＮ制御情報のみを当該ＵＥ１００に対して提供してもよい。ＷＬＡＮ制御情報を受信したＵＥ１００は、当該受信したＷＬＡＮ制御情報に基づいてＷＬＡＮ関連処理を行う。
【００８５】
（３）ＵＥ１００の動作
次に、図７のステップＳ１２におけるＵＥ１００の動作パターンについて説明する。以下の各動作パターンは、何れか１つのみを実施してもよく、２以上を組み合わせて実施してもよい。
【００８６】
動作パターン１では、ＵＥ関連パラメータは、ＵＥ１００のＷＬＡＮ通信部１１２（ＷＬＡＮ通信機能）のオン／オフである。ＵＥ１００は、ＷＬＡＮ通信部１１２がオフからオンに切り替わったことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。ＵＥ１００は、ＷＬＡＮ通信部１１２がオンからオフに切り替わったことに応じて、ＷＬＡＮ関連処理の実行不可（ＮＧ）を示すＷＬＡＮ  Ｉｎｔｅｒｗｏｒｋｉｎｇ  Ｉｎｄｉｃａｔｉｏｎを送信する。
【００８７】
動作パターン２では、ＵＥ関連パラメータは、所定のＡＰ３００に対する接続状態である。所定のＡＰ３００は、宅内ＡＰ（Ｈｏｍｅ  ＡＰ）、又はユーザが手動で接続設定を行ったＡＰである。ＵＥ１００は、所定のＡＰ３００との接続をＵＥ１００が切断したことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。ＵＥ１００は、所定のＡＰ３００に対してＵＥ１００が接続したことに応じて、ＷＬＡＮ関連処理の実行不可（ＮＧ）を示すＷＬＡＮ  Ｉｎｔｅｒｗｏｒｋｉｎｇ  Ｉｎｄｉｃａｔｉｏｎを送信する。
【００８８】
動作パターン３では、ＵＥ関連パラメータは、ＡＰ３００が送信するビーコン信号の検知状態である。ＵＥ１００は、ビーコン信号を検知していない状態から検知した状態に切り替わったことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。ＵＥ１００は、ビーコン信号を検知した状態から検知していない状態に切り替わったことに応じて、ＷＬＡＮ関連処理の実行不可（ＮＧ）を示すＷＬＡＮ  Ｉｎｔｅｒｗｏｒｋｉｎｇ  Ｉｎｄｉｃａｔｉｏｎを送信する。
【００８９】
動作パターン４では、ＵＥ関連パラメータは、ＵＥ１００の地理的位置である。ＵＥ１００の地理的位置は、例えばＧＮＳＳ受信機１３０を用いて測定される。ＵＥ１００は、自ＵＥの地理的位置がＡＰ３００の通信エリアに接近したことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。ＵＥ１００は、自ＵＥの地理的位置がＡＰ３００の通信エリアから離れたことに応じて、ＷＬＡＮ関連処理の実行不可（ＮＧ）を示すＷＬＡＮ  Ｉｎｔｅｒｗｏｒｋｉｎｇ  Ｉｎｄｉｃａｔｉｏｎを送信する。なお、動作パターン４では、ＵＥ１００が、接続権限を有するＡＰ３００のリスト（ホワイトリスト）を保持していることを想定する。例えば、ホワイトリストは、接続権限を有するＡＰ３００の識別子と、当該ＡＰ３００の通信エリアに相当する位置情報と、を含む。
【００９０】
なお、動作パターン４では、ＵＥ１００が常に自身の地理的位置を測定すると、ＧＮＳＳ受信機１３０の消費電力が多くなる。よって、ＵＥ１００は、Ｅ−ＵＴＲＡＮ１０との通信を行っているか否か、当該通信に使用するアプリケーションの種別、Ｒｅｐｏｒｔ  Ｃｏｎｆｉｇ（Ｅｎａｂｌｅ）を受信したか否か、のうち少なくとも１つに基づいて、自ＵＥの地理的位置を測定するか否かを決定してもよい。
【００９１】
動作パターン５では、ＵＥ関連パラメータは、ＵＥ１００の移動速度である。ＵＥ１００の移動速度は、例えば、ＵＥ１００の地理的位置の変化、又は加速度センサを用いて測定される加速度等に基づいて推定できる。ＵＥ１００は、ＵＥ１００の移動速度が閾値を下回った（すなわち、低速移動である）ことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。ＵＥ１００は、ＵＥ１００の移動速度が閾値を上回った（すなわち、高速移動である）ことに応じて、ＷＬＡＮ関連処理の実行不可（ＮＧ）を示すＷＬＡＮ  Ｉｎｔｅｒｗｏｒｋｉｎｇ  Ｉｎｄｉｃａｔｉｏｎを送信する。
【００９２】
なお、動作パターン５では、ＵＥ１００が常に自身の移動速度を測定すると、ＧＮＳＳ受信機１３０（又は加速度センサ）の消費電力が多くなる。よって、ＵＥ１００は、ＥＵＴＲＡＮ１０との通信を行っているか否か、当該通信に使用するアプリケーションの種別、Ｒｅｐｏｒｔ  Ｃｏｎｆｉｇ（Ｅｎａｂｌｅ）を受信したか否か、のうち少なくとも１つに基づいて、自ＵＥの移動速度を測定するか否かを決定してもよい。
【００９３】
動作パターン６では、ＵＥ関連パラメータは、ＵＥ１００のバッテリ残量である。ＵＥ１００は、ＵＥ１００のバッテリ残量が閾値を上回ったことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。ＵＥ１００は、ＵＥ１００のバッテリ残量が閾値を下回ったことに応じて、ＷＬＡＮ関連処理の実行不可（ＮＧ）を示すＷＬＡＮ  Ｉｎｔｅｒｗｏｒｋｉｎｇ  Ｉｎｄｉｃａｔｉｏｎを送信する。
【００９４】
動作パターン７では、ＵＥ関連パラメータは、ＵＥ１００が電源（ＡＣ電源）に接続されているか否かである。ＵＥ１００は、自ＵＥが電源に接続されたことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。
【００９５】
動作パターン８では、ＵＥ関連パラメータは、ＵＥ１００が省電力モードに設定されているか否かである。ＵＥ１００は、省電力モードが解除されたことに応じて、ＷＬＡＮ関連処理の実行可能（ＯＫ）を示すＷＬＡＮ  Ｉｎｔｅｒｗｏｒｋｉｎｇ  Ｉｎｄｉｃａｔｉｏｎを送信する。ＵＥ１００は、省電力モードが設定されたことに応じて、ＷＬＡＮ関連処理の実行不可（ＮＧ）を示すＷＬＡＮ  Ｉｎｔｅｒｗｏｒｋｉｎｇ  Ｉｎｄｉｃａｔｉｏｎを送信する。
【００９６】
（実施形態のまとめ）
上述したように、ＵＥ１００は、ＵＥ関連パラメータに基づいてＷＬＡＮ  Ｉｎｔｅｒｗｏｒｋｉｎｇ  ＩｎｄｉｃａｔｉｏｎをｅＮＢ２００に送信する。ＷＬＡＮ  Ｉｎｔｅｒｗｏｒｋｉｎｇ  Ｉｎｄｉｃａｔｉｏｎを受信したｅＮＢ２００は、当該受信したＷＬＡＮ  Ｉｎｔｅｒｗｏｒｋｉｎｇ  Ｉｎｄｉｃａｔｉｏｎに基づいて、ＵＥ１００に対してＷＬＡＮ制御情報を提供するか否かを判断する。このように、ＵＥ１００が自らの状況に基づいてＷＬＡＮ関連処理の実行可否をｅＮＢ２００に示すことにより、ＵＥ１００の状況を逐一Ｅ−ＵＴＲＡＮ１０に通知する方法に比べて無線リソースの消費量を抑制できるとともに、不適切なＵＥ１００に対してＷＬＡＮ制御情報が提供されることを防止できる。
【００９７】
［その他の実施形態］
上述した実施形態では、セルラ通信システムの一例としてＬＴＥシステムを説明したが、ＬＴＥシステムに限定されるものではなく、ＬＴＥシステム以外のシステムに本発明を適用してもよい。また、上述した動作シーケンスにおいて、ｅＮＢ２００（基地局）が行っている動作は、基地局に代えて、他のＲＡＮノード（例えばＲＮＣ）が行ってもよい。
【００９８】
なお、米国仮出願第６１／７５４１０６号（２０１３年１月１８日出願）、米国仮出願第６１／８６４２０６（２０１３年８月９日出願）、日本国特許出願第２０１３−２４２９２９（２０１３年１１月２５日出願）の全内容が、参照により、本願明細書に組み込まれている。
【産業上の利用可能性】
【００９９】
本発明は、移動通信分野において有用である。
【図１】
2014112563.tif 000003
【図２】
2014112563.tif 000004
【図３】
2014112563.tif 000005
【図４】
2014112563.tif 000006
【図５】
2014112563.tif 000007
【図６】
2014112563.tif 000008
【図７】
2014112563.tif 000009
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
セルラネットワークから提供される無線ＬＡＮ制御情報に基づいて、少なくとも一部の自トラフィックの収容先を前記セルラネットワークと無線ＬＡＮとの間で切り替えるための無線ＬＡＮ関連処理を行うユーザ端末と、
前記セルラネットワークにおいて、前記ユーザ端末が在圏するセルを管理するセルラ基地局と、を備え、
前記ユーザ端末は、自ユーザ端末に関連する少なくとも１つのパラメータに基づいて、前記無線ＬＡＮ関連処理の実行可否を判断するための通知を前記セルラ基地局に送信し、
前記セルラ基地局は、前記通知に基づいて、前記ユーザ端末に対して前記無線ＬＡＮ制御情報を提供するか否かを判断することを特徴とするセルラ通信システム。
【請求項２】
前記パラメータは、前記ユーザ端末の無線ＬＡＮ通信部のオン／オフを含み、
前記ユーザ端末は、前記無線ＬＡＮ通信部のオン／オフの状態に基づいて、前記通知を送信することを特徴とする請求項１に記載のセルラ通信システム。
【請求項３】
前記パラメータは、所定の無線ＬＡＮアクセスポイントに対する接続状態を含み、
前記ユーザ端末は、前記所定の無線ＬＡＮアクセスポイントに対する接続状態に基づいて、前記通知を送信することを特徴とする請求項１に記載のセルラ通信システム。
【請求項４】
前記パラメータは、無線ＬＡＮアクセスポイントが送信するビーコン信号の検知状態を含み、
前記ユーザ端末は、前記ビーコン信号の検知状態に基づいて、前記通知を送信することを特徴とする請求項１に記載のセルラ通信システム。
【請求項５】
前記パラメータは、前記ユーザ端末の地理的位置を含み、
前記ユーザ端末は、前記地理的位置に基づいて、前記通知を送信することを特徴とする請求項１に記載のセルラ通信システム。
【請求項６】
前記ユーザ端末は、前記セルラ基地局との通信を行っているか否か及び当該通信に使用するアプリケーションの種別のうち少なくとも１つに基づいて、自ユーザ端末の地理的位置を測定するか否かを判断することを特徴とする請求項５に記載のセルラ通信システム。
【請求項７】
前記パラメータは、前記ユーザ端末の移動速度を含み、
前記ユーザ端末は、前記移動速度に基づいて、前記通知を送信することを特徴とする請求項１に記載のセルラ通信システム。
【請求項８】
前記パラメータは、前記ユーザ端末のバッテリ残量を含み、
前記ユーザ端末は、前記バッテリ残量に基づいて、前記通知を送信することを特徴とする請求項１に記載のセルラ通信システム。
【請求項９】
前記無線ＬＡＮ制御情報は、ネットワーク選択規則、前記ネットワーク選択規則に適用されるネットワーク選択パラメータ、無線ＬＡＮ測定制御情報、無線ＬＡＮへのトラフィック切替え指示、のうち少なくとも１つであることを特徴とする請求項１に記載のセルラ通信システム。
【請求項１０】
前記通知は、前記ユーザ端末が接続可能な無線ＬＡＮアクセスポイントの識別子、当該無線ＬＡＮアクセスポイントについての測定結果、当該無線ＬＡＮアクセスポイントの負荷情報、前記ユーザ端末が提供を望む無線ＬＡＮ制御情報を示す情報、のうち少なくとも１つを含むことを特徴とする請求項１に記載のセルラ通信システム。
【請求項１１】
前記セルラ基地局は、前記通知が前記無線ＬＡＮ関連処理の実行可能を示す場合、前記ユーザ端末に対して前記無線ＬＡＮ制御情報を提供することを特徴とする請求項１に記載のセルラ通信システム。
【請求項１２】
前記セルラ基地局は、前記通知の送信を有効にするか無効にするかを判断するための設定情報を前記ユーザ端末に送信することを特徴とする請求項１に記載のセルラ通信システム。
【請求項１３】
前記無線ＬＡＮ関連処理は、前記ユーザ端末が、少なくとも一部のデータパスを前記セルラ基地局と無線ＬＡＮアクセスポイントとの間で切り替える処理であることを特徴とする請求項１に記載のセルラ通信システム。
【請求項１４】
セルラネットワークから提供される無線ＬＡＮ制御情報に基づいて、少なくとも一部の自トラフィックの収容先を前記セルラネットワークと無線ＬＡＮとの間で切り替えるための無線ＬＡＮ関連処理を行うユーザ端末であって、
自ユーザ端末に関連する少なくとも１つのパラメータに基づいて、前記セルラネットワークに含まれるセルラ基地局に対して、前記無線ＬＡＮ関連処理の実行可否を判断するための通知を送信する送信部を備えることを特徴とするユーザ端末。
【請求項１５】
セルラネットワークから提供される無線ＬＡＮ制御情報に基づいて、少なくとも一部の自トラフィックの収容先を前記セルラネットワークと無線ＬＡＮとの間で切り替えるための無線ＬＡＮ関連処理を行うユーザ端末を備えるセルラ通信システムにおいて、前記ユーザ端末が在圏するセルを管理するセルラ基地局であって、
前記無線ＬＡＮ関連処理の実行可否を判断するための通知を前記ユーザ端末から受信する受信部と、
前記通知に基づいて、前記ユーザ端末に対して前記無線ＬＡＮ制御情報を提供するか否かを判断する制御部と、を備えることを特徴とするセルラ基地局。
【国際調査報告】
2014112563.tif 000010
2014112563.tif 000011
2014112563.tif 000012
2014112563.tif 000013